(57)【要約】      （修正有）【課題】患者間における感染の可能性を低減することが可能な医療用建物を提供する。【解決手段】医療用建物１は、来院した患者が受付を行う受付１０と、受付を終えて診察を待つ患者が待機する第１待合室２０と、第１待合室にて待機する患者が入室し医者による診察が行われる第１及び第２診察室３１，３２と、第１及び第２診察室での診察を終え会計を待つ患者が待機する第２待合室４０とを備え、第１待合室は、前記診察室の入口と面する一方出口と面さず、第２待合室は、前記診察室の出口と面する一方入口と面しないことを特徴とする。診察の際に患者は入口から入り出口から出る過程において、他の患者との接触がなく、感染の可能性を低減することができる。さらに、特定の患者が待機する隔離室５０を備えていることが好ましい。【選択図】図１
0003187688.tif 000002
【実用新案登録請求の範囲】
【請求項１】
来院した患者が受付を行う受付と、
前記受付を終えて診察を待つ患者が待機する第１待合室と、
前記第１待合室にて待機する患者が入室し医者による診察が行われる診察室と、
前記診察室での診察を終え会計を待つ患者が待機する第２待合室と、
を備えることを特徴とする医療用建物。
【請求項２】
前記第１待合室は、前記診察室の入口と面する一方出口と面さず、
前記第２待合室は、前記診察室の出口と面する一方入口と面しない
ことを特徴とする請求項１に記載の医療用建物。
【請求項３】
特定の患者が待機する隔離室をさらに備える
ことを特徴とする請求項１又は請求項２のいずれかに記載の医療用建物。
【請求項４】
前記隔離室は、出口が前記受付、前記第１待合室、及び前記第２待合室につながっておらず、前記診察室につながっている
ことを特徴とする請求項３に記載の医療用建物。
【請求項５】
前記隔離室は、入口が建物外に設けられている
ことを特徴とする請求項４に記載の医療用建物。
【請求項６】
前記第１待合室と前記第２待合室とは、壁を隔てて分離されている
ことを特徴とする請求項１から請求項５のいずれか１項に記載の医療用建物。
【考案の詳細な説明】
【技術分野】
【０００１】
本考案は、医療用建物に関する。
【背景技術】
【０００２】
従来、病院やクリニックなどの医療用の建物では、来院した患者を対応する受付と、受付脇に設けられる待合室と、医者による診察等が行われる診察室とが設けられている。このような医療用建物に患者が来院した場合、患者は受付を済ませ、その後待合室で自己が呼ばれるまで待機し、自己が呼ばれると診察室に入る。診察が終わると患者は、再度待合室で待機し、受付等から自己が呼ばれると診察料を支払うと共に処方箋を受け取ることとなる（特許文献１参照）。
【先行技術文献】
【特許文献】
【０００３】
【特許文献１】特開２００２−７０３４６号公報
【考案の概要】
【考案が解決しようとする課題】
【０００４】
しかし、特許文献１に記載の医療用建物では、診察待ちの患者、及び会計待ちの患者の全てが待合室で待機することとなり、患者間において感染症の感染が発生し易くなっていた。特に、診察待ちや会計待ちの患者が、インフルエンザ等の感染力が強い感染症を発症している場合、患者間における感染の可能性が高まってしまう。
【０００５】
本考案はこのような従来の課題を解決するためになされたものであり、その目的とするところは、患者間における感染の可能性を低減することが可能な医療用建物を提供することにある。
【課題を解決するための手段】
【０００６】
本考案の医療用建物は、来院した患者が受付を行う受付と、前記受付を終えて診察を待つ患者が待機する第１待合室と、前記第１待合室にて待機する患者が入室し医者による診察が行われる診察室と、前記診察室での診察を終え会計を待つ患者が待機する第２待合室と、を備えることを特徴とする。
【０００７】
本考案の医療用建物によれば、受付を終えて診察を待つ患者が待機する第１待合室と、診察室での診察を終え会計を待つ患者が待機する第２待合室とを備えるため、診察待ちの患者と、会計待ちの患者とが同じ待合室で待機することなく、患者間の接触の機会が減ることから、感染症の感染の可能性を低減することができる。
【０００８】
また、本考案の医療用建物において、前記第１待合室は、前記診察室の入口と面する一方出口と面さず、前記第２待合室は、前記診察室の出口と面する一方入口と面しないことが好ましい。
【０００９】
この医療用建物によれば、第１待合室は、診察室の入口と面する一方出口と面さず、第２待合室は、診察室の出口と面する一方入口と面しない。このため、診察の際に患者は入口から入り出口から出る過程において、他の患者との接触がなく、一層患者間における感染の可能性を低減することができる。すなわち、入口と出口とが共用である場合には、患者は診察室に入る際に前の患者と近距離にて接触することとなるが、上記構造ではその接触がなく、一層患者間における感染の可能性を低減することができる。
【００１０】
また、本考案の医療用建物において、特定の患者が待機する隔離室をさらに備えることが好ましい。
【００１１】
この医療用建物によれば、特定の患者が待機する隔離室をさらに備えるため、例えばインフルエンザなどの感染力が強い感染症を発症している患者がいたとしても、このような患者は隔離室に誘導されて待機することから、感染力が強い感染症を発症している患者からの感染の可能性についても低減することができる。
【００１２】
また、本考案の医療用建物において、前記隔離室は、出口が前記受付、前記第１待合室、及び前記第２待合室につながっておらず、前記診察室につながっていることが好ましい。
【００１３】
この医療用建物によれば、隔離室は、出口が受付、第１待合室、及び第２待合室につながっておらず、診察室につながっているため、隔離室から出る患者が、例えば第１待合室を通って診察室に入ることがなく、感染力が強い感染症を発症している患者から感染してしまう可能性をより一層低減することができる。
【００１４】
また、本考案の医療用建物において、前記隔離室は、入口が建物外に設けられていることが好ましい。
【００１５】
この医療用建物によれば、隔離室は、入口は建物外に設けられているため、感染力が強い感染症を発症している患者は、第１待合室等を通って隔離室に誘導されることなく、感染力が強い感染症を発症している患者から感染してしまう可能性をより一層低減することができる。
【００１６】
また、本考案の医療用建物において、前記第１待合室と前記第２待合室とは、壁を隔てて分離されていることが好ましい。
【００１７】
この医療用建物によれば、第１待合室と第２待合室とは、壁を隔てて分離されているため、両者の患者は完全に接触の機会が断たれることとなり、例えば、第１待合室が込んでおり診察待ちの患者が第２待合室にて待機するようなことがなく、患者間における感染の可能性を一層低減することができる。
【考案の効果】
【００１８】
本考案によれば、患者間における感染の可能性を低減することが可能な医療用建物を提供することができる。
【図面の簡単な説明】
【００１９】
【図１】本考案の実施形態に係る医療用建物の上面図である。
【図２】インフルエンザ等の感染力が強い患者の移動及び待機の様子を示す上面図である。
【図３】本考案の第２実施形態に係る医療用建物の上面図である。
【図４】本考案の第３実施形態に係る医療用建物の上面図である。
【考案を実施するための形態】
【００２０】
以下、本考案の好適な実施形態を図面に基づいて説明するが、本考案は以下に示す実施形態に限られるものではない。
【００２１】
図１は、本考案の実施形態に係る医療用建物の上面図である。図１に示すように、本実施形態に係る医療用建物１は、少なくとも感染症に対する診察を行う病院・クリニックである。このような医療用建物１は、受付１０と、第１待合室２０と、診察室３１，３２と、第２待合室４０とを備えている。
【００２２】
受付１０は、医療用建物１の扉１ａに面するように設置されており、受付担当者が来院した患者に問診票を渡したり、診察券や保険証の提示を求めたりする箇所である。また、受付１０は、診察を終えた患者に対して診察料の請求等を行う場所でもある。
【００２３】
第１待合室２０は、受付１０を終えて診察を待つ患者が待機する場所（室）であり、ベンチ等が設置されている。また、第１待合室２０は、診察室３１，３２の入口３１ａ，３２ａに面しているが、出口３１ｂ，３２ｂには面していない。
【００２４】
第１及び第２診察室３１，３２は、第１待合室２０にて待機する患者が入室し、医者による診察が行われる場所（室）であり、ベッドやデスク等が設けられている。なお、本実施形態において診察室３１，３２は、２つであるが、特に２つに限らず、１つ又は３つ以上設けられていてもよい。
【００２５】
第２待合室４０は、診察室３１，３２での診察を終えて会計を待つ患者が待機する場所（室）であり、ベンチ等が設置されている。また、第１待合室２０は、診察室３１，３２の入口３１ａ，３２ａに面しておらず、出口３１ｂ，３２ｂには面している。
【００２６】
さらに、本実施形態に係る医療用建物１は、特定の患者が待機する隔離室５０をさらに備えている。隔離室５０は、例えばインフルエンザなどの感染力が高い感染症を発症している患者が待機する場所（室）であり、受付担当者により誘導されて入室する場所である。
【００２７】
このような隔離室５０は、入口５０ａが第１待合室２０に面しているものの、出口５０ｂは第１診察室３１につながっている。すなわち、出口５０ｂは、受付１０、第１待合室２０及び第２待合室４０のいずれにも面していない。
【００２８】
次に、本実施形態に係る医療用建物１における患者の移動及び待機の様子を説明する。まず、患者Ａが来院すると、患者は受付１０にて問診票の記入や診察券の提出等を行う。そして、これらの作業が終了すると、患者は第１待合室２０にて診察を待つ待機状態となる。第１待合室２０には、患者Ａのほか、診察を待つ複数人の患者（以下患者群Ｂと称する）がいることがある。なお、患者Ａは、問診票の記入について第１待合室２０にて行ってもよい。
【００２９】
そして、患者群Ｂの患者について順次診察が行われ、患者Ａが呼ばれると、患者Ａは、第１診察室３１及び第２診察室３２のうち、いずれかの入口３１ａ，３２ａから診察室３１，３２に入室する。
【００３０】
入室後、診察が行われ、診察が完了すると、患者Ａは出口３１ｂ，３２ｂから第２待合室４０に入り、第２待合室４０にて会計を待つ待機状態となる。第２待合室４０には、患者Ａのほか、会計を待つ複数人の患者（以下患者群Ｃと称する）がいることがある。
【００３１】
その後、患者群Ｃの患者について順次会計が行われ、患者Ａが呼ばれると、患者Ａは、受付１０に行き、会計を行う共に、診察券や処方箋を受け取る。そして、患者Ａは。扉１ａから退出することとなる。
【００３２】
ここで、従来では診察待ちの患者群Ｂが５人おり、会計待ちの患者群Ｃが５人いた場合、１０人の患者群Ｂ，Ｃが同じ待合室で待つため、診察待ちの患者Ａからすると、診察待ちの段階で１０人の患者との接触の機会がある。また、会計待ちの段階においても、院内の患者の人数が減っていない場合、１０人の患者と接触の機会がある。
【００３３】
これに対して、本実施形態に係る医療用建物１は、受付１０を終えて診察を待つ患者が待機する第１待合室２０と、診察室３１，３２での診察を終え会計を待つ患者が待機する第２待合室４０とを備える。このため、診察待ちの患者群Ｂが５人おり、会計待ちの患者群Ｃが５人いた場合、診察待ちの患者Ａからすると、診察待ちの段階で５人の患者としか接触の機会がない。同様に、診察後に患者の人数が減っていなかったとしても、会計待ちの段階においても５人の患者としか接触の機会がない。
【００３４】
このように、患者Ａにとっては他の患者との接触の機会が減ることとなる。故に、他の患者から感染症が感染する可能性が減ることから、患者間における感染の可能性を低減することができる。
【００３５】
図２は、インフルエンザ等の感染力が強い患者の移動及び待機の様子を示す上面図である。図２に示すように、インフルエンザ等の感染力が強い患者（以下患者Ｄと称する）については、受付１０にて問診票の記入や診察券の提出等を行った後、そのまま隔離室５０に誘導される。患者Ｄは隔離室５０にて診察を待つ待機状態となる。このような隔離室５０は、第１待合室２０とは分断されており、患者Ｄから患者群Ｂへの感染が予防されることとなる。
【００３６】
そして、患者群Ｂの患者について順次診察が行われ、患者Ｄが呼ばれると、患者Ｄは、隔離室５０の出口５０ｂから第１診察室３１に入室する。このため、患者Ｄは、診察室３１に入室するにあたり、一度第１待合室２０等を経由することがない。よって、より一層患者Ｄから患者群Ｂへの感染が予防されることとなる。
【００３７】
そして、診察が行われ、診察が完了すると、患者Ｄは出口３１ｂ，３２ｂから第２待合室４０に入り、会計を待つ待機状態となる。なお、感染症の予防の観点からすると、患者Ｄを再度隔離室５０に誘導してもよい。また、第２待合室４０側に、第２隔離室をさらに備え、第１診察室３１から第２待合室４０を経由することなく、直接第２隔離室に入室可能となっていてもよい。
【００３８】
その後、他の患者について順次会計が行われ、患者Ｄが呼ばれると、患者Ｄは、受付１０に行き、会計を行う共に、診察券や処方箋を受け取る。そして、患者Ｄは、扉１ａから退出することとなる。
【００３９】
このようにして、本実施形態に係る医療用建物１によれば、受付１０を終えて診察を待つ患者が待機する第１待合室２０と、診察室３１，３２での診察を終え会計を待つ患者が待機する第２待合室４０とを備えるため、診察待ちの患者と、会計待ちの患者とが同じ待合室で待機することなく、患者間の接触の機会が減ることから、感染症の感染の可能性を低減することができる。
【００４０】
また、第１待合室２０は、診察室３１，３２の入口３１ａ，３２ａと面する一方出口３１ｂ，３２ｂと面さず、第２待合室４０は、診察室３１，３２の出口３１ｂ，３２ｂと面する一方入口３１ａ，３２ａと面しない。このため、診察の際に患者は入口３１ａ，３２ａから入り出口３１ｂ，３２ｂから出る過程において、他の患者との接触がなく、一層患者間における感染の可能性を低減することができる。すなわち、入口３１ａ，３２ａと出口３１ｂ，３２ｂとが共用である場合には、患者は診察室３１，３２に入る際に前の患者と近距離にて接触することとなるが、上記構造ではその接触がなく、一層患者間における感染の可能性を低減することができる。
【００４１】
また、特定の患者が待機する隔離室５０をさらに備えるため、例えばインフルエンザなどの感染力が強い感染症を発症している患者がいたとしても、このような患者は隔離室５０に誘導されて待機することから、感染力が強い感染症を発症している患者からの感染の可能性についても低減することができる。
【００４２】
また、隔離室５０は、出口５０ｂが受付１０、第１待合室２０、及び第２待合室３０につながっておらず、診察室３１につながっているため、隔離室５０から出る患者が、例えば第１待合室２０を通って診察室３１に入ることがなく、感染力が強い感染症を発症している患者から感染してしまう可能性をより一層低減することができる。
【００４３】
次に、本考案の第２実施形態を説明する。第２実施形態に係る医療用建物１は第１実施形態のものと同様であるが、一部異なっている。以下、第１実施形態との相違点について説明する。
【００４４】
図３は、本考案の第２実施形態に係る医療用建物の上面図である。図３に示すように、第２実施形態に係る医療用建物２は、第１実施形態のものと同様であるが、隔離室５０の構成が一部異なっている。
【００４５】
すなわち、図３に示すように、第２実施形態において隔離室５０は、入口５０ａが建物外に設けられており、建物外から直接隔離室５０に入室可能となっている。このため、インフルエンザ等の感染力が強い患者Ｄは、受付１０にて問診票の記入や診察券の提出等を行った後、扉１ａから建物外に誘導され、建物外から入口５０ａを経て隔離室５０に入室する。
【００４６】
これにより、患者Ｄは、第１待合室２０等を通って隔離室に誘導されることなく、より感染の可能性を低減することができる。
【００４７】
このようにして、第２実施形態に係る医療用建物２によれば、第１実施形態と同様に、患者間の接触の機会が減ることから、感染症の感染の可能性を低減することができる。また、診察の際に患者は入口３１ａ，３２ａから入り出口３１ｂ，３２ｂから出る過程において、他の患者との接触がなく、一層患者間における感染の可能性を低減することができる。加えて、感染力が強い感染症を発症している患者から感染してしまう可能性を（より一層）低減することができる。
【００４８】
さらに、第２実施形態によれば、隔離室５０は、入口５０ａが建物１外に設けられているため、感染力が強い感染症を発症している患者は、第１待合室２０等を通って隔離室５０に誘導されることなく、感染力が強い感染症を発症している患者から感染してしまう可能性をより一層低減することができる。
【００４９】
次に、本考案の第３実施形態を説明する。第３実施形態に係る医療用建物１は第１実施形態のものと同様であるが、一部異なっている。以下、第１実施形態との相違点について説明する。
【００５０】
図４は、本考案の第３実施形態に係る医療用建物の上面図である。図４に示すように、第３実施形態に係る医療用建物３は、第１実施形態のものと同様であるが、第１待合室２０と第２待合室４０とが壁Ｗを隔てて分離されている。このため、例えば、第１待合室２０が込んでおり診察待ちの患者が第２待合室４０にて待機するようなことがなく、患者間における感染の可能性を一層低減することができる。
【００５１】
なお、この場合、第２待合室４０にて会計を待つ患者が受付１０に行けなくなることから、第２待合室４０内に会計レジ部４１を設けると共に、患者は出口１ｂを設けることとなる。これにより、第２待合室４０で会計を待つ患者はスムーズに会計及び退出を行うことができる。
【００５２】
なお、第２待合室４０内に会計レジ部４１を設ける場合に限らず、第１待合室２０と第２待合室４０とを壁Ｗで隔てつつも、受付１０が第２待合室４０に面するように、壁Ｗの一部を刳り貫いておくなどの手段を講じてもよい。
【００５３】
このようにして、第２実施形態に係る医療用建物２によれば、第１実施形態と同様に、患者間の接触の機会が減ることから、感染症の感染の可能性を低減することができる。また、診察の際に患者は入口３１ａ，３２ａから入り出口３１ｂ，３２ｂから出る過程において、他の患者との接触がなく、一層患者間における感染の可能性を低減することができる。加えて、感染力が強い感染症を発症している患者から感染してしまう可能性を（より一層）低減することができる。
【００５４】
さらに、第３実施形態によれば、第１待合室２０と第２待合室４０とは、壁Ｗを隔てて分離されているため、両者の患者は完全に接触の機会が断たれることとなり、例えば、第１待合室２０が込んでおり診察待ちの患者が第２待合室４０にて待機するようなことがなく、患者間における感染の可能性を一層低減することができる。
【００５５】
以上、実施形態に基づき本考案を説明したが、本考案は上記実施形態に限られるものではなく、本考案の趣旨を逸脱しない範囲で、変更を加えてもよいし、各実施形態を組み合わせてもよい。
【００５６】
例えば、上記実施形態においては医療用建物１〜３は、１つのフロアに受付１０及び各室２０，３１，３２，４０，５０を有しているが、これに限らず、階段等を設けて、２以上のフロア（階層）に受付１０及び各室２０，３１，３２，４０，５０を有していてもよい。
【００５７】
さらに、上記実施形態において隔離室５０は、医療用建物１〜３の奥側に設けられているが、これに限らず、扉（入口）１ａの近傍に設けられていてもよい。加えて、医療用建物１〜３の隔離室５０が設置される側を、空調の下流側（すなわち空気の流れの下流側）としてもよい。これにより、隔離室５０の感染症の細菌が他の室２０，３１，３２，４０に流れてしまうことを防止できるからである。
【符号の説明】
【００５８】
１〜３…医療用建物
１ａ…扉
１ｂ…出口
１０…受付
２０…第１待合室
３１，３２…診察室
３１ａ，３２ａ…入口
３１ｂ，３２ｂ…出口
４０…第２待合室
４１…会計レジ部
５０…隔離室
５０ａ…入口
５０ｂ…出口
Ｗ…壁
【図１】
0003187688.tif 000003
【図２】
0003187688.tif 000004
【図３】
0003187688.tif 000005
【図４】
0003187688.tif 000006
【手続補正書】
【提出日】平成25年10月7日(2013.10.7)
【手続補正１】
【補正対象書類名】実用新案登録請求の範囲
【補正対象項目名】全文
【補正方法】変更
【補正の内容】
【実用新案登録請求の範囲】
【請求項１】
受付を終えて診察を待つ患者が待機する第１待合室と、
前記第１待合室にて待機する患者が入室し医者による診察が行われる診察室と、
前記診察室での診察を終え会計を待つ患者が待機する第２待合室と、を備え、
前記第１待合室は、前記診察室の入口と面する一方出口と面さず、
前記第２待合室は、前記診察室の出口と面する一方入口と面しない
ことを特徴とする医療用建物。
【請求項２】
特定の患者が待機する隔離室をさらに備える
ことを特徴とする請求項１に記載の医療用建物。
【請求項３】
前記隔離室は、出口が前記受付、前記第１待合室、及び前記第２待合室につながっておらず、前記診察室につながっている
ことを特徴とする請求項２に記載の医療用建物。
【請求項４】
前記隔離室は、入口が建物外に設けられている
ことを特徴とする請求項３に記載の医療用建物。
【請求項５】
前記第１待合室と前記第２待合室とは、壁を隔てて分離されている
ことを特徴とする請求項１から請求項４のいずれか１項に記載の医療用建物。
【手続補正２】
【補正対象書類名】明細書
【補正対象項目名】０００６
【補正方法】変更
【補正の内容】
【０００６】
本考案の医療用建物は、受付を終えて診察を待つ患者が待機する第１待合室と、前記第１待合室にて待機する患者が入室し医者による診察が行われる診察室と、前記診察室での診察を終え会計を待つ患者が待機する第２待合室と、を備え、前記第１待合室は、前記診察室の入口と面する一方出口と面さず、前記第２待合室は、前記診察室の出口と面する一方入口と面しないことを特徴とする。
【手続補正３】
【補正対象書類名】明細書
【補正対象項目名】０００７
【補正方法】変更
【補正の内容】
【０００７】
本考案の医療用建物によれば、受付を終えて診察を待つ患者が待機する第１待合室と、診察室での診察を終え会計を待つ患者が待機する第２待合室とを備えるため、診察待ちの患者と、会計待ちの患者とが同じ待合室で待機することなく、患者間の接触の機会が減ることから、感染症の感染の可能性を低減することができる。さらに、第１待合室は、診察室の入口と面する一方出口と面さず、第２待合室は、診察室の出口と面する一方入口と面しない。このため、診察の際に患者は入口から入り出口から出る過程において、他の患者との接触がなく、一層患者間における感染の可能性を低減することができる。すなわち、入口と出口とが共用である場合には、患者は診察室に入る際に前の患者と近距離にて接触することとなるが、上記構造ではその接触がなく、一層患者間における感染の可能性を低減することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】